(57)【要約】【課題】輸送、製造が容易であり、かつ、気体又は液体を供給して気体収納部を膨満すると、被梱包材の角にあたる部分を保護する形状が形成される梱包材を提供する。【解決手段】シート部材３１，３２を接着して、気体を収納する第１のエアー収納部４１、さらに、この中に第２のエアー収納部４２を備える梱包材１であって、充満させる気体を挿入する注気部材５を備え、第２のエアー収納部４２に被梱包材を収納し、注気部材５が第１のエアー収納部４１と第２のエアー収納部４２に、梱包材１の外部から気体を挿入する。【選択図】      図１
2020117261.tif 000002
【特許請求の範囲】
【請求項１】
プラスチック製のシート部材を接着して、気体を収納する気体収納部を備える梱包材において、
前記梱包材は、前記気体収納部（第１の気体収納部と記す。）内に第２の気体収納部と、充満させる気体を挿入する注気口とを備え、
前記第２の気体収納部に被梱包材を収納し、
前記第１の気体収納部と第２の気体収納部とが気体を収納し、
前記注気口が前記第１の気体収納部と第２の気体収納部に、前記梱包材の外部から気体を挿入する
ことを特徴とする梱包材。
【請求項２】
請求項１に記載の梱包材において、
前記注気口が、前記シート部材の２枚の間に挿入された２枚のプラスチック製フィルム部材で弁手段を形成している
ことを特徴とする梱包材。
【請求項３】
請求項１又は２に記載の梱包材において、
前記第１の気体収納部に開閉可能な封止部を備える
ことを特徴とする梱包材。
【請求項４】
請求項２又は３に記載の梱包材において、
前記注気口が、第１の気体収納部と第２の気体収納部とに気体を充満させ、
前記弁手段が、充満した気体により気体の逆流を防止する
ことを特徴とする梱包材。
【請求項５】
請求項４に記載の梱包材において、
前記弁手段が、第１の気体収納部と第２の気体収納部とで別々に作用する
ことを特徴とする梱包材。
【請求項６】
梱包材で被梱包材を収納する梱包方法において、
前記請求項１ないし５のいずれかに記載の梱包材に被梱包材を収納した後で、前記梱包材に気体を収納させて第１及び第２の気体収納部を充満させる
ことを特徴とする梱包方法。
【発明の詳細な説明】
【技術分野】
【０００１】
本発明は、気体又は液体の流体を収納して、被梱包材の保護のため緩衝材として、および、簡易な収納材として用いられる梱包材及びこの梱包材を用いる梱包方法に関する。
【背景技術】
【０００２】
従来、医薬品を入れるための容器、医薬品容器は一般に、中身が詰められた後、その中身が漏れず、かつ、できるだけ外部からの、菌又は有害なごみの侵入を防止するために適当な封止材で塞がれる梱包材、収納袋が提供されている。この梱包材は、ゴム等のエラストマー材で形成されたものが典型的であり、中身を詰める担当者の元へ、一般に容器とは別に、適当な包装具の中に梱包されて提供される。この梱包材はすぐに使用されるので、１次袋の中に包装する作業は一般に、周囲の雰囲気の中で行われる。１次袋は空気の遮断性が良く、ポリエチレン（ＰＥ）または薄い金属膜等をラミネートしたシート部材である。１次袋は、真空中に置かれることなく熱溶着される。１次袋はそれ自体が２次袋に挿入されてもよい。
【０００３】
または、このような包装システムの梱包材には欠点がある。プラスチック製の梱包材が互いにくっつきやすい。このため、使用が時間の経過につれて、外部からの菌の侵入、空気中の湿気により医薬品等が変質することがある。特に、注射器のガスケット、ニードルガード等、他のエラストマー部品については、菌で汚れて使用できないことがあるという問題が生ずる。
【０００４】
また、これらの包装システムに、いわゆる逆止弁を設けているものがある。いわゆる弁手段は、設けた逆止弁が空気を充満させるだけで自然と弁手段が作用し、空気の充満が停止するとともに、空気の逆流を防止して、空気を用いる緩衝機能を備えた梱包材として利用することができる。
しかしながら、単に弁手段を設けたのでは、繰り返し使用できなという問題が生ずる。さらに、従来の弁手段を供給し、配設しても一つの逆止弁に複数の気体収納部に空気を充満させることができないという欠点がある。
【先行技術文献】
【特許文献】
【０００５】
【特許文献１】特開２００３−２９１９１７号公報
【特許文献２】特表２０１７−５３１６０４号公報
【特許文献３】特開２０１２−０６１２４９号公報
【特許文献４】特開２０１７−１６５４５４号公報
【発明の概要】
【発明が解決しようとする課題】
【０００６】
そこで、本発明は上記問題点に鑑みてなされたものであり、その課題は、輸送、製造が容易であり、かつ、気体を供給して、被梱包材を保護するとともに、繰り返し開閉できることで、空気中の水分による湿気、酸素による変質からの保護に対応できる緩衝機能を備える梱包材を提供することである。
さらに、上述した緩衝機能を備える梱包材を用いて、被梱包材を梱包する梱包方法を提供することである。
【課題を解決するための手段】
【０００７】
上記課題を解決する手段である本発明の特徴を以下に挙げる。
本発明の梱包材は、プラスチック製のシート部材を接着して、気体を収納する気体収納部を備える梱包材であって、前記気体収納部（第１の気体収納部と記す。）内に第２の気体収納部と、充満させる気体を挿入する注気口とを備え、前記第２の気体収納部に被梱包材を収納し、前記第１の気体収納部と第２の気体収納部とが気体を収納し、前記注気口が前記第１の気体収納部と第２の気体収納部に、前記梱包材の外部から気体を挿入する。
また、本発明の梱包材は、前記注気口が、前記シート部材の２枚の間に挿入された２枚のプラスチック製フィルム部材で弁手段を形成している。
また、本発明の梱包材は、前記第１の気体収納部に開閉可能な封止部を備える。
また、本発明の梱包材は、前記注気口が、第１の気体収納部と第２の気体収納部とに気体を充満させ、前記弁手段が、充満した気体により気体の逆流を防止する。
また、本発明の梱包材は、前記弁手段が、第１の気体収納部と第２の気体収納部とで別々に作用する。
さらに、本発明の梱包方法は、前記梱包材に被梱包材を収納した後で、前記梱包材に気体を収納させて第１及び第２の気体収納部を充満させる。
【発明の効果】
【０００８】
上記課題を解決する手段により、本発明の梱包材は、様々な大きさの直方体、その他の形状を有する被梱包材を安定に保護する梱包材を提供することができる。また、使用の際にその場で空気を注入することができるため、梱包材自体の保管、輸送が容易に行えるものである。
さらに、本発明の梱包方法は、様々な大きさの直方体、その他の形状を有する被梱包材を安定に保護する梱包方法を提供することができる。
【図面の簡単な説明】
【０００９】
【図１】本発明の梱包材の構成を示す概略図である。
【図２】本発明の梱包材の一つの実施形態、とくに、注入部材の構成を示す概略図である。
【図３】本発明の梱包材の一つの実施形態、とくに、端部の構成を示す概略図である。
【図４】本発明の梱包材の一つの実施形態の構成を示す概略図である。
【図５】本発明の梱包材の一つの実施形態の構成を示す概略図である。
【図６】本発明の梱包材の一つの実施形態の構成を示す概略図である。
【図７】本発明の梱包材の一つの実施形態の構成で、エアーを押し出す状態を示す写真である。
【図８】本発明の梱包材の一つの実施形態の構成を示す概略図である。
【図９】本発明の梱包材の一つの実施形態の構成を示す概略図である。
【図１０】本発明の梱包材の一つの実施形態の構成を示す概略図である。
【図１１】本発明の梱包材の一つの実施形態の構成で、封止部を有する状態を示す写真である。
【図１２】本発明の梱包材の一つの実施形態の構成を示す概略図である。
【図１３】本発明の梱包材の一つの実施形態の構成を示す概略図である。
【図１４】本発明の梱包材の一つの実施形態の構成で、簀巻きの状態を示す写真である。
【図１５】本発明の梱包材の一つの実施形態の構成を示す概略図である。
【図１６】本発明の梱包材の一つの実施形態の構成で、パッケージ構造の状態を示す写真である。
【発明を実施するための形態】
【００１０】
図１は、本発明の梱包部材の構成を示す概略図である。
本発明の梱包材１は、第１のシート部材３１と第２のシート部材３２を重ねて周縁部を熱溶着又は接着剤等で接着させて袋状になっていて、第１の気体収納部（以下、「エアー収納部」と記す。）４１を形成している。図1の太い破線部分は、接着部分を示している。ただし、注入部材５のある部分も接着しているが、エアーの通気部分までは接着してない。
さらに、その第１のエアー収納部４１の中に第２のエアー収納部４２を備えている。第２のエアー収納部４２は、梱包材１の第１のシート部材３１又は第２のシート部材３２に接着している。または、熱又は接着剤でなくとも、接着性のテープで張り付けてもよいし、両面の接着性テープで、張り付けてもよい。
この梱包材１には、端部からエアーを供給し、充満させる注入部材５を備えている。本発明の梱包材１は、注入部材５の端部にある注入口５１から空気（以下、「エアー」と記す。）を供給し、流通路５２を通過して注気口５３経由して、第１のエアー収納部４１、第２のエアー収納部４２にエアーを供給する。
【００１１】
また、梱包材１には、エアーを注入する注入部材５のある位置と対向する端部は、接着せずに、使用者によって端部を封止する封止部３４を設ける。この場合、この封止部３４は、シール部材３４１で、必要において、その都度に開放したり、密閉したりすることができる。
【００１２】
梱包材１に供給するエアーは、エアーポンプからのエアーガンでも、手押しの空気入れでもよい。通常は、薄いシート状になっているから、多数枚数を重ねてストックしても場所をとることはない。
本発明の梱包材１と注入部材５とは、溶着されている。ただし、エアーを注入口５1から第１のエアー収納部４１、第２のエアー収納部４２に供給するために、注入口５１、流通路５２自体は溶着されてないで、中空状態にある。
また、注入部材５から通路を通りエアーを送り込み注気する注気口５３の部分には逆止弁６が設けられていて、第１のエアー収納部４１内部に侵入するように設けている。なお、同様に、第２のエアー収納部４２内部に侵入するように設けている注入部材５には注気口５３の部分には逆止弁６が設けられている。
注気口５３の先端が第１のエアー収納部４１と第２のエアー収納部４２内部に入っていることで、注気口５３からエアーを注気すると、同時に、第１のエアー収納部４１と第２のエアー収納部４２にエアーを充満させることができる。しかも、注気口５３の先端は、第１のエアー収納部４１と第２のエアー収納部４２に注気するための出口が注気口５３１、５３２の２つ設けられている。
【００１３】
図２は、本発明の梱包材の一つの実施形態、とくに、注入部材５の構成を示す概略図である。
注入部材５は、エアーを注入して、内部に送り込むための入口に当たる注入口１１と、注入されたエアーを第１のエアー収納部４１へ通す第１の連絡路５２１と、注入されたエアーを第２のエアー収納部１へ通す第２の連絡路５２２とがあり、これら連絡口が第１のエアー収納部４１と第２のエアー収納部４２へ通じている。注気口５３の第１の連絡路５２１と第２の連絡路５２２とは、注入するエアーに対して独立して別個に設けられている。なお、図中の矢印は、エアーの流れを示している。
さらに、第１の連絡路５２１と第２の連絡路５２２には逆止弁５３を設けることができる。
逆止弁５３は、逆止弁作用が形成されている部材・装置そのものを直接設けてもよいし、２枚又は１枚のプラスチックフィルムを設けて逆止弁作用を機能させたものであってもよい。この場合、注気口５３・連絡路５２を形成するためのプラスチック製の第１のフィルム５０１と第２のフィルム５０２とによって形成される。このプラスチック製フィルムによって形成された注気口５３によってエアーがエアー収納部４１、４２に充満されてゆく。エアーの注入は、一方のフィルムに設けた注入口５１からストロー、または、先端を細くした中空部材を差し込んで行なう。エアーの充満した第１のエアー収納部４１と第２のエアー収納部４２ではエアーの注入する圧力を受けて押し上げられる。
さらに、エアーを充満させていくと、注入部材５を形成するフィルム５０１、５０２が押し上げられて梱包材１を形成するプラスチックフィルム製のシート部材３１，３２に密着することで、注気口５３、さらに、連絡路５２が狭まってくる。その結果、自制式にエアーの注入は抑えられて一定の量のエアーが充満したところで停止する。エアーが充填した後は、可撓性の高いプラスチックフィルムによる注気口５３、さらに、連絡路５２を形成する第１のフィルム５０１又は第２のフィルム５０２がシート部材３１、３２等に押圧されて内部から塞がっており、第１のエアー収納部４１と第２のエアー収納部４２のエアーは漏れていくことがない。
【００１４】
プラスチック製のシート部材３１、３２を接着して袋を形成し、その内部にエアーを封入してなる空気緩衝材では、エアーの封入に逆止弁６を使用していた。つまり、接着する場合の一つである熱溶着では、熱溶着可能なプラスチック製のシート部材３１、３２の中央部を貫いて溶着を防止するための剥離剤等を印刷・塗布したものを２枚重ね、両側縁を熱溶着したシート部材に挟み込んで、逆止弁６は使用されている。また、逆止弁６は、熱溶着する前に逆止弁６を、シート部材３１、３２上に配設しておくものであってもよい。
また、接着する場合の一つである接着剤であれば、それぞれ必要な部分に接着剤を塗布し、圧力を負荷して接着させることができる。
また、２枚のプラスチックフィルムは圧力で重なり合い流路をふさぐことができれば、２枚の両辺がつながって注入方向に穴を持つ筒状、もしくは注入方向と横穴状のものでよい。
また、逆止弁６における逆止性能からいっても、この弁は内外の圧力差で２枚のフィルムが押されてエアーの流路を閉ざしているだけであるから、機械的な歪が加わったりすると開いて、エアーが漏れたりすることない。しかも、本発明の梱包材１は、逆止弁６を用いることなく、注入部材５に可撓性の高いプラスチックフィルムを用いることで、充満したエアーの圧力によって逆止弁６１、６２が注気口５３、さらに、連絡路５２を形成する他の第１のプラスチックフィルム３１に押圧されてエアーの漏れを防止することができる。本発明の梱包材１は、単独で独立した逆止弁６を用いることなく、単に可撓性のプラスチックフィルムを用いることでこれを達成することができる。
【００１５】
図３は、本発明の梱包材の一つの実施形態、とくに、開閉可能な端部の構成を示す概略図である。
また、梱包材１の周縁部は、接着し、外気の外への漏洩を防止している。また、注気口５３に対応する端部位置には、封止部３４を設けて、人の力で開閉できるようにしてもよい。
この封止部３４には、梱包材１の端部を開いて被梱包材９を挿入し、シール部材３４１によって一旦梱包材１の端部を閉状態とした後、注気部材５によりエアーを第１及び第２エアー収納部４１，４２に、それぞれの第１の注気口５３１と第２の注気口５３２からそれぞれの供給し、エアーを充満させる。こうすることで、第１及び第２エアー収納部４１，４２は密閉状態が保たれたままで、エアーにより、被梱包材９を固定すると共にエアーで被梱包材９を囲み、緩衝効果と密閉効果により被梱包材９の安全性、品質性が保たれる。
図３に示すように、注気口５３を有する注気部材５は、連絡路５２が一つであっても複数の注気口５３１、５３２を有する形態と、注入部５１が一つであっても複数の連絡路５２１、５２２と複数の注気口５３１、５３２とを有する形態がある。どちらの形態であっても、注気部材５の複数の注気口５３１、５３２にあっては、２枚の柔軟なフィルムによって、逆止弁６の逆止機能を備え、エアーの漏洩を防止することができる。
シール部材３４１は、凹凸形状の１対で形成されていて、嵌合する凹状、あるいは凸状の形状を有し、凸状が凹状の部材に嵌合して、エアーの漏洩を防止する封止部材が形成される。シール部材３４１は、ライン状の２本の気密部材を設けた樹脂製のファスナ素材を端部３４に溶着し、このファスナ素材を気密状に嵌合させるスライダを備えて構成されている。
【００１６】
図４は、本発明の梱包材の構成を示す概略図である。
被梱包材９は、封止部３４のある第１のエアー収納部４１と第２のエアー収納部４２に配置・保存される。エアー収納部４１は、被梱包材９となる非保護物を外気から遮断し、外気の混入を防ぐ、もしくは、外気への漏出を防ぐものである。エアー収納部４２は、エアー収納部４２を膨らませることによりエアー収納部４１に内接し、他方で非保護物を移動できないように固定するものである。
【００１７】
図５は、本発明の梱包材の構成を示す概略図である。
注入部材５は、二つの連絡路を用いた共通注入部材型が好ましいが、それぞれのエアー注入部に各々の注入部材を設けてもよい。
図５は、（ａ）は吹き込むための注気口５３の共通型と、（ｂ）は吹き込むための注気口５３の分離型を示している。
（ａ）に示すように、エアーの注入する機能を共通にした共通型の注入部材５は、第１及び第２エアー収納部４１，４２のそれぞれに、先端の一部である第１の注気口５３１と第２の注気口５３２からエアーを注入する。そのうえで、第１の注気口５３１と第２の注気口５３２がそれぞれ備える逆止弁によりエアーの漏洩を防止することができる。
また、（ｂ）に示すように、エアーの注入する機能を分離した分離型の注入部材５は、第１及び第２エアー収納部４１，４２のそれぞれに挿入した注入部材５が、それぞれの第１の注気口５３１と第２の注気口５３２からエアーを注入する。この分離型でも、第１の注気口５３１と第２の注気口５３２がそれぞれ備える逆止弁によりエアーの漏洩を防止することができる。
梱包材のシート部材３１，３２及びフィルム部材５１、５２は、ポリエチレンやポリプロピレンなどヒートシール性を有するフィルムと、ポリアミドやフッ素樹脂、シリコン等のフィルムとをラミネートしたものである。プラスチックフィルムの片面に、ヒートシール性のある材質が現れるようにしたのは、梱包材１本体を製袋するために、内側の表面同士を接着する必要があるからである。また、本発明の梱包材１を構成するプラスチックフィルムは、ポリアミドやフッ素樹脂、シリコン等のフィルムを挟んで、その両表面に、ポリエチレンやポリプロピレンなどヒートシール性を有するフィルムをラミネートする構成としてもよい。
【００１８】
図６は、本発明の梱包材の一つの実施形態の構成を示す概略図である。
本発明の梱包材は、（ａ）に示すように筒状の注入部材を用いていたが、（ｂ）に示すように、封止部３４に注入孔５５を設けても、エアーの漏れを防止する逆止弁と同様の効果を得ることができる。
図７は、本発明の梱包材の一つの実施形態の構成で、エアーを押し出す状態を示す写真である。
さらに、注入孔５５の繋がった部分を指でつまんでしわを寄せることで、ゆっくり空気を押し出すことができる。
【００１９】
図８は、本発明の梱包材の一つの実施形態の構成を示す概略図である。
被梱包材９を入れる第２の気体収納部４２は、外部より高い気圧を有する陽圧である必要はなく、圧力的には大気と繋がってもよい。また、その方が出口の注入部５１の部分が加圧された第１の気体収納部４１で押さえられ被梱包材９が外に出ないようにして保護することができる。
図９は、本発明の梱包材の更なる実施形態の構成を示す概略図である。
外袋の第１の気体収納部４１の内側であって、小さいために第２の気体収納部４２の外側と第１の気体収納部４１の内側が接着で接着させる。その梱包材１に逆止弁機能を有する注入部材５と第１及び第２のフィルム５０１、５０２を設けて、エアーを注入する。これによって、加圧で膨らんだ第１の気体収納部４１で
第２の気体収納部４２の内側の被梱包材９が抑えられ、保護される。
【００２０】
図１０は、本発明の梱包材の一つの実施形態の構成を示す概略図である。
図１１は、本発明の梱包材の一つの実施形態の構成で、封止部を有する状態を示す写真である。
外袋の第１の気体収納部４１と内側の第２の気体収納部４２に、シール部材で封止部３４を設ける。これによって、被梱包材９の出し入れが可能になり、梱包材１を繰り返し使用することができる。
【００２１】
図１２は、本発明の梱包材の一つの実施形態の構成を示す概略図である。
外袋の第１の気体収納部４１の封止部の直下から二重の封止膜をそれぞれの第１の気体収納部４１と第２の気体収納部４２に面からつけることで、第１の気体収納部４１と第２の気体収納部４２に封止部３４の締結部と第１の気体収納部４１と第２の気体収納部４２の締結部の隙間にできる空隙からの外部への流出を封止弁と同じ効果で止めることができる。その部分に管を設け、エアーの出し入れ口にしてもよい。
【００２２】
図１３は、本発明の梱包材の一つの実施形態の構成を示す概略図である。
図１４は、本発明の梱包材の一つの実施形態の構成で、簀巻きの状態を示す写真である。
第１の気体収納部４１は被梱包材９を円筒状に包み込むことのできる大きさであり、かつ逆止弁作用を持つ第１及び第２のフィルム５０１、５０２のフィルムと注入口５１を有している。被梱包材９を第１の気体収納部４１に簀巻き状にくるみ、図１４に表すようにバンドなどで簀巻きが解けることのないようにし、注入口５１から空気を入れ膨らませることで、被梱包材９の円筒状周囲および円筒の上部と下部に第１の気体収納部４１をエアーで膨らませ、被梱包材９の固定および衝撃緩衝ができる。図１４はこの方式により携帯電話機を梱包した例である。
【００２３】
図１５は、本発明の梱包材の一つの実施形態の構成を示す概略図である。
図１６は、本発明の梱包材の一つの実施形態の構成で、パッケージ構造の状態を示す写真である。
円筒型の上部と下部が内側に突起をもったドーナッツを長くした円筒状構造で、被梱包材９を包み込むパッケージ構造にすることで、保護することができる、突起構造は第１の気体収納部４１に空気を送り込まない状態では変形可能でその内側に被梱包材９を出し入れすることは容易であるが、空気を送り込むことにより膨張し被梱包材９をパッケージの中に閉じ込める。それにより円筒部と突起部で被梱包材９を包み込み、固定および衝撃緩衝ができる。
【符号の説明】
【００２４】
１  梱包材
３  シート部材
３１  第１のシート部材
３２  第２のシート部材
３３  接着部
３４    封止部
３４１  シール部材
４  気体収納部
４１  第１の気体収納部
４２  第２の気体収納部
５  注入部材
５０１  第１のフィルム
５０２  第２のフィルム
５１  注入部
５２  連絡路
５３  注気口
５３１  第１の注気口
５３２  第２の注気口
５５  注入孔
６  逆止弁
９  被梱包材
【図１】
2020117261.tif 000003
【図２】
2020117261.tif 000004
【図３】
2020117261.tif 000005
【図４】
2020117261.tif 000006
【図５】
2020117261.tif 000007
【図６】
2020117261.tif 000008
【図７】
2020117261.tif 000009
【図８】
2020117261.tif 000010
【図９】
2020117261.tif 000011
【図１０】
2020117261.tif 000012
【図１１】
2020117261.tif 000013
【図１２】
2020117261.tif 000014
【図１３】
2020117261.tif 000015
【図１４】
2020117261.tif 000016
【図１５】
2020117261.tif 000017
【図１６】
2020117261.tif 000018